(57)【要約】【課題】本発明において解決しようとする課題は、多層記録メディアに記録された、層を跨ぐ一連の映像や音声を再生する際、層の切り替わり部分の再生において映像や音声の途切れが発生する場合がある事である。【解決手段】上述した課題を解決するために、本発明の映像音声記録方式では、多層記録メディアの同一層内の記録領域を、最大幅ｌを超えない幅の同心円状の領域に分割し、映像や音声を記録する際、まず、内周から外周方向に領域１つおきに記録し、次に、外周から内周方向に順に未記録領域に記録する。但し、外周から内周に方向に記録する場合でも、記録メディア全体としての記録方向の一貫性を保つため、記録領域内では内周から外周方向に記録する。【選択図】図１
2006059409.tif 000002
【特許請求の範囲】
【請求項１】
多層記録媒体の少なくとも最終層以外の全ての層において、同一層内の記録領域を予め定めた最大幅ｌを超えない幅の同心円状の領域に分割し、映像や音声データを記録する際、まず、内周から外周方向に領域１つおきに記録し、次に、外周から内周方向に順に未記録領域に記録する映像音声記録方式。
【請求項２】
記録データの長さを示す記録データ長情報を入力し出力する記録データ長情報入力手段と、記録データ長情報を入力して多層記録媒体の各層における記録データ長を算出して各層内記録データ長情報を出力する各層内記録データ長算出手段と、各層内記録データ長情報を一時的に記憶しておく各層内記録データ長記憶手段と、同一層内の記録領域を予め定めた最大幅ｌを元に各層内での領域分割サイズを決定して領域分割サイズ情報を出力する領域分割サイズ決定手段と、記録データ情報を入力し出力する記録データ入力手段と、記録データと各層内記録データ長情報と領域分割サイズ情報とを入力し、それらの入力情報を元に多層記録媒体における記録データの記録位置を算出し、記録位置を制御するための記録位置制御情報として記録データとともに出力する記録位置制御手段と、記録位置制御情報に基づいた多層記録媒体内の記録位置に記録データ情報を記録する記録手段とを備える、請求項１に記載の映像音声記録方式で映像や音声を多層記録媒体に記録する映像音声記録装置。
【請求項３】
入力される読取位置制御情報に従って、請求項１に記載の映像音声記録方式で記録された多層記録媒体に記録されたデータを読み取り、第１の読取データとして出力する読取手段と、入力された記憶残量情報と過去に入力された第１の読取データ情報とを元に次に読み取るべき位置やデータ量を読取制御手段として出力し、その結果入力された第１の読取データ情報を出力する読取制御手段と、第１の読取データ情報を入力して一時的に記憶する手段であって、その記憶容量としては少なくとも同一層内の記録領域を予め定めた最大幅ｌの３倍の距離だけ離れた位置の情報の読み取りを開始するのに必要な時間分の再生を維持できるデータ量以上であり、記憶可能な残量を記憶残量情報として出力し、さらに再生に必要なデータを第２の読み取り情報として出力する読取データ記憶手段と、入力した第２の読取データ情報を再生する読取データ再生手段とを備える請求項１に記載の映像音声記録方式で記録された多層記録媒体の映像音声再生装置。
【発明の詳細な説明】
【技術分野】
【０００１】
本発明は、多層式の記録媒体に、映像情報、または、音声情報を記録する際の映像音声記録方式、映像音声記録装置、及び、映像音声再生装置に関するものである。
【背景技術】
【０００２】
ＤＶＤ（Ｄｉｇｉｔａｌ  Ｖｅｒｓａｔｉｌｅ  Ｄｉｓｃ）等の多層式の記録メディアに映像や音声を記録する際、一連の映像や音声が層を跨いで記録されている場合がある。ＤＶＤでは、いずれの層であっても一般に内周から外周に向かって映像や音声が記録されており、層を跨いで映像や音声が記録されたメディアを再生すると、層の切り替わりでメディアから情報を読み出す部分（光学ピック）が大きく移動する。この移動距離の最大値は、メディアの最内周から最外周の幅であるＬであり（図５）、最大、その間を光学ピックが移動する時間分、映像や音声が途切れる場合がある。その場合、使用者が映像や音声の視聴において違和感となる。
【０００３】
これを解決する手段として、層の切り替わりにおいてフェードアウト、及びフェードインを用いて、映像や音声の途切れによる違和感を軽減しようとする方法が考案されている（例えば、特許文献１参照）。しかし、この方法による再生は、映像や音声の製作者の意図したものではなく、一連の映像や音声の中で、見られない、もしくは聞けない部分が発生することになり、根本的な解決になっていない。
【０００４】
また、一般的に、層の切り替わり時に、切り替え前の層のデータを先読みしてバッファリングしておき、光学ピックが移動している間、バッファリングしたデータを再生する方法も考えられるが、コストダウンや構成の簡略化などで十分な容量のバッファ用メモリを確保できない場合がある。
【特許文献１】特開２０００−６７５６４号公報
【発明の開示】
【発明が解決しようとする課題】
【０００５】
本発明において解決しようとする課題は、多層記録メディアに記録された、層を跨ぐ    一連の映像や音声を再生する際、層の切り替わり部分の再生において映像や音声の途切れが発生する場合がある事である。
【課題を解決するための手段】
【０００６】
上述した課題を解決するために、本発明の映像音声記録方式では、多層記録メディアの同一層内の記録領域を、最大幅ｌを超えない幅の同心円状の領域に分割し、映像や音声を記録する際、まず、内周から外周方向に領域１つおきに記録し、次に、外周から内周方向に順に未記録領域に記録する。但し、外周から内周に方向に記録する場合でも、記録メディア全体としての記録方向の一貫性を保つため、記録領域内では内周から外周方向に記録する。
【発明の効果】
【０００７】
上述した本発明の手段により、１つの層を再生中、一旦、光学ピックはまず内周から外周へ向かって移動し、その後、その層の最終データに近づくに従って内周に近づく。このように、再生中の層の切り替わり時の光学ピックの移動を少なくすることにより、映像や音声の途切れを少なくする事ができ、さらには、途切れをなくすために切り替え前の層のデータを先読みしてバッファリングする場合であっても、バッファ用メモリを少なくできる。
【発明を実施するための最良の形態】
【０００８】
（実施の形態１）
図１は、本発明の実施の形態１による映像音声記録方式の構成を説明するための図である。以下、図１を用いて映像音声記録方式の構成を説明する。
【０００９】
図１ａはｎ層からなる多層記録媒体の１層目を表し、図１ｂはｎ層目を表している。図１において、記録可能領域幅がＬである多層記録媒体を、最大幅がｌとなるよう同心円状にｍ個の領域に分割する。この分割した領域を分割領域Ａｉ，ｊ（ｉは１≦ｉ≦ｎとなる整数、ｊは１≦ｊ≦ｍとなる整数）とする。
【００１０】
この多層記録媒体に一連の映像や音声を記録する際、まず、分割領域Ａ１，１から記録を開始し、内周から外周方向に順次、分割領域Ａ１，３、分割領域Ａ１，５、…、分割領域Ａ１，２ｋ−１と、分割領域１つおきに記録していく（ｋは１≦ｋ≦ｍ／２となる整数）。次に、分割領域Ａ１，２ｋ−１に隣接する分割領域Ａ１，２ｋもしくは分割領域Ａ１，２ｋ−２から記録を継続し、外周から内周方向に順次、（分割領域Ａ１，２ｋ）、分割領域Ａ１，２ｋ−２、分割領域Ａ１，２ｋ−４、…、分割領域Ａ１，２と、未記録の分割領域に記録していく。但し、外周から内周に方向の分割領域順に記録する場合でも、記録媒体全体としての記録方向の一貫性を保つため、分割領域内では内周から外周方向に記録する。
【００１１】
同一層内での記録が終了後、以降、次の層への記録も同様に行う。このとき、層を跨ぐ前後の層において、前の層の最終記録分割領域をＡｐ，ｑ、後の層の記録開始分割領域をＡｐ＋１，ｒとすると、ｒ−２≦ｑ≦ｒ＋３となるように各層におけるｋの値を設定する。
【００１２】
図２は本発明の映像音声記録方式により記録した多層記録媒体の例である。図２を用いて再生時の動きを具体的に説明する。
【００１３】
図２ａでは説明を単純化するため、２層光ディスクを例として取り上げている。さらに、２層光ディスクの各層における記録領域を一定幅ｌで分割し、その１層目の分割領域を内周から順に、分割領域Ａ１，１、Ａ１，２、Ａ１，３、Ａ１，４、同様に、２層目を分割領域Ａ２，１、Ａ２，２、Ａ２，３、Ａ２，４としている。この２層光ディスクには、本発明の映像音声記録方式に従って、Ａ１，１→Ａ１，３→Ａ１，４→Ａ１，２→Ａ２，１→Ａ２，３→Ａ２，４→Ａ２，２の順に映像音声データが記録されている。
【００１４】
図２ｂは、図２ａの２層光ディスクの断面である。また、図２ｃは、図２ａの２層光ディスクを再生する際の光学ピックの動きである。図２ｃにおいて、実線の矢印は２層光学ディスクからのデータ読み込みを伴う光学ピックの動きであり、点線の矢印はデータ読み込みを伴わない動きである。
【００１５】
図２ａの２層光ディスクの再生を開始すると、光学ピックは、まず、図２ｃの矢印Ａ１，１のようにデータを読み込みながら移動する。光学ピックが矢印Ａ１，１の終点に来ると、次は矢印Ａ１，３の始点までデータを読み込まずに移動する。光学ピックが矢印Ａ１，３の始点まで来ると、矢印Ａ１，３、矢印Ａ１，４の順にデータを読み込みながら移動する。矢印Ａ１，４の終点までくると、光学ピックは矢印Ａ１，２の始点までデータを読み込まずに移動した後、矢印Ａ１，２の終点までデータを読み込みながら移動する。光学ピックが矢印Ａ１，２の終点まで移動してデータを読み込むと、引き続き２層目のデータを読み込むために矢印Ａ２，１の始点まで移動し、以降、１層目と同様に遷移する。
【００１６】
この図２ｃにおける１層目の先頭から２層目の終端までの間、読み込みを伴わずに光学ピックが移動する最大距離は、矢印Ａ１，４の終点から矢印Ａ１，２の始点まで、及び、矢印Ａ２，４の終点から矢印Ａ２，２の始点までの３ｌである。従って、光学ピックの平均移動速度をｖ、光学ピックが到達点に達してから実際にデータを読み始めるまでの時間をｔとすると、本発明における映像音声記録方式で記録された多層記録媒体の再生時の映像や音声が途切れる時間の最大値は高々３ｌ／ｖ＋ｔとなる。これは図５で示した従来の記録方式の同時間がＬ／ｖ＋ｔである事から、３ｌ≦Ｌとなるｌを選択すれば、少なくとも図５の記録方式と比較して映像や音声の途切れ時間が短くなる。
【００１７】
なお、本実施の形態１において、各層における記録開始領域を最内周の分割領域としたが、記載内容の制限から外れなければ最内周から書き始める必要はない。また、便宜上、
各領域の幅を一定幅ｌとしたが、これに限らず、各領域毎にｌを超えない任意の幅にしても良い。
【００１８】
（実施の形態２）
図３は、本発明の実施の形態２による映像音声記録装置の構成を説明するための図である。以下、図３を用いて、多層記録媒体に本発明の実施の形態１で示した映像音声記録方式によって映像や音声を記録するための映像音声記録装置の構成を説明する。
【００１９】
図３の映像音声記録装置では、まず、記録データを多層記録媒体の各層にどのような配分で記録するかを算出する。そのために、記録データ長入力手段１により記録データ長情報が入力されると、記録データ長情報は各層内記録データ長算出手段２に送られ、各層内記録データ長算出手段２では各層内の記録データ長が算出される。このとき、各層内記録データ長算出手段２での算出の際、任意の層に任意のデータ長を記録するよう算出することもできる。各層内記録データ長算出手段２で算出された各層内記録データ長情報は、各層内記録データ長記憶手段３に記憶される。
【００２０】
一方、多層記録媒体に記録されるべき記録データ情報は記録データ入力手段４によって入力され、記録位置制御手段５に送られる。記録位置制御手段５では、各層内記録データ長記憶手段３から出力される各層内記録データ長情報と、領域分割サイズ決定手段６から出力される領域分割サイズ情報とから、入力される記録データ情報の多層記録媒体への記録位置を本発明の映像音声記録方式に合致するよう算出し、記録位置制御情報として記録データ情報とともに記録手段に出力する。
【００２１】
ここで、領域分割サイズ決定手段６には、予め領域分割の最大幅ｌが与えられており、その値に基づいて各層における領域分割のサイズを決定する。決定は本映像音声記録装置の設計及び製造時に静的に与えられた値を使用する方法でも良いし、動作時に動的に値を算出する方法でもよい。
【００２２】
記録位置制御情報及び記録データ情報を入力した記録手段７は、記録位置制御情報に従った位置に記録データ情報を記録する。
【００２３】
（実施の形態３）
図４は、本発明の実施の形態３による映像音声再生装置の構成を説明するための図である。以下、図４を用いて、多層記録媒体に本発明の実施の形態１で示した映像音声記録方式によって記録された映像や音声を再生するための映像音声再生装置の構成を説明する。
【００２４】
図４の映像音声再生装置では、多層記録媒体の再生を開始すると、まず、読取データ記憶手段１０がその記憶メモリの残量を記憶残量情報として読取制御手段９に出力する。読取制御手段９は、記憶残量情報、それまでに入力された第１の読取データ情報及び本発明の映像音声記録方式に基づいて、次に読み出すべき多層記録媒体上のデータの位置とその量を算出し読取制御情報として読取手段８に出力する。読取制御情報を入力した読取手段８は、読取制御情報従ってデータを読取、第１の読取データ情報として読取制御手段９に出力する。読取制御手段９は入力した第１の読取データ情報を読取データ記憶手段１０に対して出力する。
【００２５】
読取データ記憶手段１０は入力された第１の読取データ情報を位置的に記憶し、読取データ再生手段１１から出力される読取データ要求手段に従って、第２の読取データ情報を読取データ再生手段１１に出力する。読取データ再生手段１１は入力された第２の読取データ情報を再生するとともに、読取データ要求情報として読取データ記憶手段１０に出力し、引き続き再生に必要なデータを要求する。
【００２６】
なお、読取記憶手段１０の記憶メモリ容量は、本発明の実施の形態１で記した、高々３ｌ／ｖ＋ｔ時間分の再生に必要なデータ量である。図５で示す従来の記録方式に基づく映像音声再生装置において同様の読取データ記憶手段を用いた場合、その記憶メモリ量がＬ／ｖ＋ｔ時間分の再生に必要なデータ量であることと比較すると、本発明の映像音声再生装置によってコストの削減ができる事がわかる。
【産業上の利用可能性】
【００２７】
本発明の映像音声記録方式は、多層記録媒体の層を跨いで記録された一連の映像や音声を再生する際、層の切り替わり箇所でその映像や音声の途切れを少なくする、もしくは無くす場合に有用である。また、本発明における映像音声記録装置は本発明の映像記録方式に従って多層記録媒体に記録する場合に有用であり、映像音声再生装置は、本発明の映像記録方式に従って記録された多層記録媒体を再生する場合に有用である。
【図面の簡単な説明】
【００２８】
【図１】本発明の実施の形態１に於ける映像音声記録方式の実施方法を示した説明図
【図２】本発明の実施の形態１に於ける映像音声記録方式の実施方法の一具体例を示した説明図
【図３】本発明の実施の形態２に於ける映像音声記録装置の実施方法を示した説明図
【図４】本発明の実施の形態３に於ける映像音声再生装置の実施方法を示した説明図
【図５】従来の多層記録媒体への映像音声記録方式を示した説明図
【符号の説明】
【００２９】
１    記録データ長入力手段
２    各層内記録データ長算出手段
３    各層内記録データ長記憶手段
４    記録データ入力手段
５    記録位置制御手段
６    領域分割サイズ決定手段
７    記録手段
８    読取手段
９    読取制御手段
１０    読取データ記憶手段
１１    読取データ再生手段
【図１】
2006059409.tif 000003
【図２】
2006059409.tif 000004
【図３】
2006059409.tif 000005
【図４】
2006059409.tif 000006
【図５】
2006059409.tif 000007